(57)【要約】【課題】撮像装置のケースのデザインが制約を受けることなく、かつ、レンズアダプタの低コスト化およびコンパクト化を図る上で有利なレンズアダプタを提供することにある。【解決手段】レンズアダプタ３０は、鏡筒１２に装着されるボディ３２と、ボディ３２に装着されるフード部材３４とを備えている。ボディ３２は円筒壁部３２０２と、この円筒壁部３２０２の軸方向の後端で該円筒壁部３２０２の内周に沿って延在する環状壁部３２０４とを備え、環状壁部３２０４の軸方向の後端には該軸方向に対して直交する面上に位置する環状面３２０６が形成されている。円筒壁部３２０２の内周部にはコンバージョンレンズ４０を取り付ける雌ねじ３２０８が形成されている。環状面３２０６に、第２の鏡筒１２０４の環状面１２０８に接着される接着層３２１０が設けられている。【選択図】        図１
2005156765.tif 000002
【特許請求の範囲】
【請求項１】
鏡筒がケースの前方に突出した突出位置とケースの内方に収容された収容位置との間で移動する沈胴式撮像装置に装着されるレンズアダプタであって、
前記レンズアダプタは金属製のボディを備え、
前記ボディは円筒壁部と、この円筒壁部の軸方向の端部で該円筒壁部の内周に沿って延在する環状壁部と、前記環状壁部の軸方向の端部に設けられ前記軸方向に対して直交する面上に位置する環状面とを有し、
前記環状面に、前記鏡筒の前端に接着される接着層が設けられ、
前記円筒壁部の内周部にフィルターやコンバージョンレンズなどの光学部品を取り付ける雌ねじが形成されている、
ことを特徴とするレンズアダプタ。
【請求項２】
前記接着層には剥離可能に剥離紙が貼着されていることを特徴とする請求項１記載のレンズアダプタ。
【請求項３】
前記円筒壁部の軸方向の端部と前記環状壁部との間に、前記環状壁部に至るにつれて内径および外径が次第に小さくなる円錐壁部が設けられていることを特徴とする請求項１記載のレンズアダプタ。
【請求項４】
前記環状壁部の内径は前記雌ねじの内径よりも大きい寸法で形成されていることを特徴とする請求項１記載のレンズアダプタ。
【請求項５】
前記円筒壁部には、該円筒壁部を覆うように合成樹脂製で環状のフード部材が着脱可能に装着されることを特徴とする請求項１記載のレンズアダプタ。
【請求項６】
前記フード部材は衝撃を吸収、緩和できる材料で構成されていることを特徴とする請求項５記載のレンズアダプタ。
【請求項７】
前記フード部材は複数用意され、各フード部材の色が互いに異なる色となるように構成されていることを特徴とする請求項５記載のレンズアダプタ。
【発明の詳細な説明】
【技術分野】
【０００１】
本発明はレンズアダプタに関する。
【背景技術】
【０００２】
鏡筒がケースの前方に突出した突出位置とケースの内方に収容された収容位置との間で移動する沈胴式カメラでは、小型化や簡単に取り扱えるなどの観点から、鏡筒の前端にコンバージョンレンズやフィルターなどの光学部品を取着することが想定されていないものが多く、したがって、鏡筒の前端に光学部品結合用の雌ねじが設けられていないものが多い。
そこで、このような沈胴式カメラにコンバージョンレンズやフィルターなどの光学部品を取着できるようにするため、ケース前面に鏡筒を囲むように円筒状の取付部材を設け、該取付部材に雌ねじを設け、該雌ねじに筒状のアダプタリングの一端を接続し、このアダプタリングの他端にコンバージョンレンズを接続するように構成されたものが提案されている（例えば特許文献１参照）。
【特許文献１】特開２００３−８４３３２号公報
【発明の開示】
【発明が解決しようとする課題】
【０００３】
ところが、このようなアダプタリングを用いる場合には、専用の取付部材をカメラのケースに設けなくてはならないため撮像装置のコストアップを招き、また、ケースのデザインが制約を受ける欠点があった。
このため本出願人は、図９に示すように、カメラ１のケース２に対して着脱可能に取着される装着部３を有するレンズアダプタ４を提案している（特願２００３−０４３０７１）。
このレンズアダプタ４を用いる場合は、カメラ１のケース２に専用の取付部材を設ける必要が無いものの、カメラ１のケース２に装着するため外形が大きなものとなることから、レンズアダプタ自体の低コスト化やコンパクト化を図る上で不利があった。
本発明はこのような事情に鑑みなされたものであり、本発明の目的は、撮像装置のケースのデザインが制約を受けることなく、かつ、レンズアダプタの低コスト化およびコンパクト化を図る上で有利なレンズアダプタを提供することにある。
【課題を解決するための手段】
【０００４】
上述の目的を達成するため、本発明のレンズアダプタは、鏡筒がケースの前方に突出した突出位置とケースの内方に収容された収容位置との間で移動する沈胴式撮像装置に装着されるレンズアダプタであって、前記レンズアダプタは金属製のボディを備え、前記ボディは円筒壁部と、この円筒壁部の軸方向の端部で該円筒壁部の内周に沿って延在する環状壁部と、前記環状壁部の軸方向の端部に設けられ前記軸方向に対して直交する面上に位置する環状面とを有し、前記環状面に、前記鏡筒の前端に接着される接着層が設けられ、前記円筒壁部の内周部にフィルターやコンバージョンレンズなどの光学部品を取り付ける雌ねじが形成されていることを特徴とする。
【発明の効果】
【０００５】
そのため、本発明によれば、ボディの接着層を撮像装置の鏡筒の前端に接着して装着することで光学部品を撮像装置に取り付けて撮影を行なうことができる。
そのため、撮像装置のケースに専用の取付部材を設ける必要が無いので、撮像装置がデザインの制約を受けることがなく、また、レンズアダプタが鏡筒の前端に接着により装着できるため、低コスト化およびコンパクト化を図る上で有利となる。
【発明を実施するための最良の形態】
【０００６】
撮像装置のケースのデザインが制約を受けることなく、レンズアダプタの低コスト化およびコンパクト化を図るという目的を、円筒壁状に形成されたボディの後方の端面に鏡筒の先端に接着される接着層を設けることによって実現した。
【実施例１】
【０００７】
次に本発明の実施例１について図面を参照して説明する。
図１はレンズアダプタおよびコンバージョンレンズの撮像装置への装着を説明する斜視図、図２はレンズアダプタおよびコンバージョンレンズが撮像装置に装着された状態を示す斜視図、図３（Ａ）は鏡筒が収容位置にある状態を示す説明図、（Ｂ）は鏡筒が突出位置にある状態を示す説明図、図４はレンズアダプタを前方から見た状態を示す分解斜視図、図５はレンズアダプタを後方から見た状態を示す分解斜視図、図６（Ａ）はボディの平面図、（Ｂ）はボディの断面図、図７（Ａ）はフード部材の平面図、（Ｂ）はフード部材の断面図、図８は（Ａ）はコンバージョンレンズの平面図、（Ｂ）はコンバージョンレンズの断面図である。
【０００８】
まず、図１、図３（Ａ）、（Ｂ）を参照してレンズアダプタが装着される撮像装置１００について説明する。
本実施例において撮像装置１００はデジタルスチルカメラで構成されており、動画データまたは静止画データを記録媒体としてのメモリカードに記録するものであり、ケース１０を有している。
ケース１０は、上下の高さと、前後の厚さと、左右の長さとを有して横長形状に形成され、ケース１０の左右はケース１０を前方から見た状態でいうものとする。
ケース１０の前面の上部には撮影補助光を発光するフラッシュ１６と、光学式ファインダー装置を構成するファインダーレンズ１８とが設けられ、ケース１０の上面の左寄りの箇所には撮影を行なうためのシャッタスイッチ２０が設けられている。
また、ケース１０の後面には、ファインダーレンズ１８で結像された被写体像を視認するための接眼窓２２、撮影された画像データなどを表示するディスプレイ２４、種々の設定および操作を行なうための操作スイッチ（不図示）が設けられている。
【０００９】
ケース１０の前面の右寄りの箇所には、鏡筒１２が設けられている。
鏡筒１２は、図３（Ａ）に示すようにケース１０の内方に収容された収容位置と、図３（Ｂ）に示すようにケース１０の前方に突出した突出位置との間で移動するように構成されている。
鏡筒１２の内側には被写体像を結像する撮影光学系１４が収容保持され、撮影光学系１４の光軸上でケース１０の内部には、撮影光学系１４で結像された被写体像を検出して撮像信号を生成する不図示の撮像素子などが設けられている。本実施の形態では、撮影光学系１４は撮影倍率を連続的に変えることができるズーム式として構成されている。
本実施例では、鏡筒１２は、円筒状に形成された第１の鏡筒部１２０２と、円筒状に形成され第１の鏡筒部１２０２の内側に位置する第２の鏡筒部１２０４とを備え、鏡筒１２の収容位置と突出位置の間の移動は、第１、第２の鏡筒部１２０２、１２０４が撮影光学系１４の光軸方向にスライドすることでなされている。
また、第２の鏡筒部１２０４の前端には撮影光学系１４を前方に臨ませる開口１２０６が形成され、開口１２０６の周囲には撮影光学系１４の光軸と直交する面上に位置する環状面１２０８が形成されている。
【００１０】
次に、以上の構成からなる撮像装置１００に装着されるレンズアダプタについて説明する。
図３、図４、図５に示すように、レンズアダプタ３０は、鏡筒１２に装着されるボディ３２と、ボディ３２に装着されるフード部材３４とを備えている。
図６に示すように、ボディ３２は例えばアルミニウムなどの軽量で剛性を有する金属で構成され、円筒壁部３２０２と、この円筒壁部３２０２の軸方向の後端で該円筒壁部３２０２の内周に沿って延在する環状壁部３２０４とを備え、環状壁部３２０４の軸方向の後端には該軸方向に対して直交する面上に位置する環状面３２０６が形成されている。
本実施例では、円筒壁部３２０２の後端と環状壁部３２０４との間に、環状壁部３２０４に至るにつれて内径および外径が次第に小さくなる円錐壁部３２０３が設けられており、したがって円錐壁部３２０３の後端に環状壁部３２０４が形成されている。
円筒壁部３２０２の内周部にはコンバージョンレンズ４０やフィルターなどの光学部品を取り付ける雌ねじ３２０８が形成されている。
また、図３に示すように、円錐壁部３２０３の前方に位置する円筒壁部３２０２箇所には、その全周にわたって凹部３２０２Ａが形成され、凹部３２０２Ａの前方の円筒壁部３２０２部分が嵌合凸部３２０２Ｂとして形成されている。
円筒壁部３２０２と円錐壁部３２０３との境の部分の外周部は、半径方向外方に突出する鍔部３２０２Ｃとして形成されている。
【００１１】
環状面３２０６の外周の輪郭は撮像装置１００の第２の鏡筒部１２０４の環状面１２０８の外周の輪郭とほぼ一致するように構成されている。
環状壁部３２０４の内径は雌ねじ３２１２の内径よりも大きい寸法で形成され、図５に示すように、環状面３２０６のほぼ全域に、第２の鏡筒１２０４の環状面１２０８に接着される環状の接着層３２１０が設けられ、接着層３２１０には剥離可能に剥離紙３２１２が貼着されている。
【００１２】
図７に示すように、フード部材３４は衝撃を吸収、あるいは緩和できる合成樹脂で形成され、円環状を呈している。本実施例では、フード部材３４は弾性を有するシリコンゴムで形成されている。
フード部材３４は、その内周に嵌合凹部３４０２が形成され、図３に示すように、嵌合凹部３４０２とボディ３２の嵌合凸部３２０２Ｂとが嵌合することで、フード部材３４がボディ３２の円筒壁部３２０２を覆うように該円筒壁部３２０２に着脱可能に装着されるように構成されている。
フード部材３４は複数用意され、各フード部材３４の色が互いに異なる色となるように構成されている。
【００１３】
次に、レンズアダプタ３０に取付けられるコンバージョンレンズ４０について説明する。
図８に示すように、コンバージョンレンズ４０は、レンズ４２と、レンズ４２を収容保持する鏡筒４４と、鏡筒４４の後端に設けられレンズアダプタ３０の雌ねじ３２０８に螺合する雄ねじ４６とを有している。
【００１４】
次に、以上のように構成されたレンズアダプタ３０の作用について説明する。
レンズアダプタ３０を組み立てる際には、図４、図５に示すように、フード部材３４をボディ３２の前方に臨ませた状態でフード部材３４の内側にボディ３２の円筒壁部３２０２の前端を挿入して押込み、フード部材３４の嵌合凹部３４０２にボディ３２の嵌合凸部３２０２Ｂを嵌合させる。これにより、円筒壁部３２０２を覆うようにフード部材３４が装着される。
このように組み立てられたレンズアダプタ３０を撮像装置１００の鏡筒１２に装着する際には、レンズアダプタ３０の接着層３２１０から剥離紙３２１２を剥離し、ボディ３２の後部を鏡筒１２の第２の鏡筒部１２０４の前端に臨ませ、ボディ３２の軸心と第２の鏡筒部１２０４の軸心とが合致するように接着層３２１０と環状面１２０８とを接着する。
本実施例では、ボディ３２の環状面３２０６の外周の輪郭と、第２の鏡筒部１２０４の環状面１２０８の外周の輪郭とを一致させることで、ボディ３２の軸心と第２の鏡筒部１２０４の軸心とが簡単に合致される。
これにより、図２に示すように、撮像装置１００の撮影光学系１４の光軸と、コンバージョンレンズ４０のレンズ４２の光軸とが一致された状態で、レンズアダプタ３０が鏡筒１２の前端に装着される。
【００１５】
図１に示すように、コンバージョンレンズ４０を用いて撮影を行なう際には、コンバージョンレンズ４０の雄ねじ４６を鏡筒１２に装着されたレンズアダプタ３０の雌ねじ３２０８に螺合し、図３に示すようにコンバージョンレンズ４０をレンズアダプタ３０に装着する。
これにより、コンバージョンレンズ４０が撮像装置１００の撮影光学系１４の前方に位置することになり、撮影光学系１４とコンバージョンレンズ４０とを合成した撮影倍率で撮影可能な状態となる。
【００１６】
本実施例によれば、レンズアダプタ３０の接着層３２を撮像装置１００の鏡筒１２の前端に接着して装着することでコンバージョンレンズ４０などの光学部品を撮像装置１００に取り付けて撮影を行なうことができる。
そのため、撮像装置１００のケース１０に専用の取付部材を設ける必要が無いのでケース１０がデザインの制約を受けることがない。また、レンズアダプタ３０が鏡筒１２の前端に接着により装着できるため、低コスト化およびコンパクト化を図る上で有利となる。
また、ボディ３２に円錐壁部３２０３を設けられているので、図３（Ａ）に示すように、鏡筒１２が収容状態に位置した状態で、鏡筒１２の外側に位置するケース１０部分と円錐壁部３２０３との間に隙間が確保され、したがって、レンズアダプタ３０がケース１０に干渉することなく鏡筒１２の出没動を支障なく行なう上で有利となる。
また、本実施例では、ボディ３２の環状壁部３２０４の内径が雌ねじ３２０８の内径よりも大きい寸法で形成されているので、コンバージョンレンズ４０の雄ねじ４６をボディ３２の雌ねじ３２０８に螺合した際、雄ねじ４６の先端は環状壁部２２０４には当接するもののケース１０には当接しない。このため、雄ねじ４６の先端がケース１０に損傷を与えることを防止する上で有利である。また、大きな面積を有する環状面３２０４を確保でき、したがって、接着層３２１０の接着面積を大きく確保し、ボディ３２を鏡筒１２に確実に取着する上で有利となる。
また、本実施例では、レンズアダプタ３０のボディ３２の円筒壁部３２０２を覆うようにフード部材３４を装着したので次のような効果を得ることができる。
（１）フード部材３４が衝撃を吸収、あるいは緩和できる材料で構成されているので、レンズアダプタ３０に光学部品を装着していない状態で、鏡筒１２の前端が物にぶつかった際に受ける衝撃をフード部材３４によって吸収、あるいは緩和でき、鏡筒１２および該鏡筒１２を収容位置および突出位置に移動させる駆動機構の故障を防止する上で有利となる。
（２）色の異なるフード部材３４をボディ３２に装着することにより、撮像装置１００を一目で識別することができる。
（３）フード部材３４はボディ３２に対して着脱可能であるため、好みに応じた色のフード部材３４をボディ３２に装着することで撮像装置１００の外観を容易に変更でき、デザイン性を高める上で有利となる。
また、ボディ３２の雌ねじ３２０８およびとコンバージョンレンズ４０の雄ねじ４６の双方を特殊なねじ、例えば二条ねじ以上の多条ねじで構成すれば、撮像装置１００で使用できない光学部品が誤って装着されることを確実に防止する上で有利となる。例えば、鏡筒１２に過大な負荷を与えてしまうような重い光学部品を誤って鏡筒１２に装着してしまうことを未然に防止できる。
【００１７】
なお、本実施例では、ボディ３２にフード部材３４を装着したが、フード部材３４を省略して使用できることは勿論である。
また、本実施例においては、撮像装置としてデジタルスチルカメラを例示したが、本発明はビデオカメラなどの他の撮像装置に無論適用可能である。
また、被写体像を銀塩フィルムに導く光学系を有するフィルム式カメラにも適用可能である。
【図面の簡単な説明】
【００１８】
【図１】レンズアダプタおよびコンバージョンレンズの撮像装置への装着を説明する斜視図である。
【図２】レンズアダプタおよびコンバージョンレンズが撮像装置に装着された状態を示す斜視図である。
【図３】鏡筒が収容位置および突出位置にある状態を示す説明図である。
【図４】レンズアダプタを前方から見た状態を示す分解斜視図である。
【図５】レンズアダプタを後方から見た状態を示す分解斜視図である。
【図６】レンズアダプタのボディの平面図および断面図である。
【図７】フード部材の平面図および断面図である。
【図８】コンバージョンレンズの平面図および断面図である。
【図９】従来のレンズアダプタを示す斜視図である。
【符号の説明】
【００１９】
１００……撮像装置、１０……ケース、１２……鏡筒、３０……レンズアダプタ、３２……ボディ、３２０２……円筒壁部、３２０３……円錐壁部、３２０４……環状壁部、３２０６……環状面、３２０８……雌ねじ、３２１０……接着層、３４……フード部材、４０……コンバージョンレンズ。
【図１】
2005156765.tif 000003
【図２】
2005156765.tif 000004
【図３】
2005156765.tif 000005
【図４】
2005156765.tif 000006
【図５】
2005156765.tif 000007
【図６】
2005156765.tif 000008
【図７】
2005156765.tif 000009
【図８】
2005156765.tif 000010
【図９】
2005156765.tif 000011